(57)【要約】【課題】光ディスクの両面に対する再生や記録を好適に行うことができる光ディスク装置を実現する。【解決手段】光ディスク装置１００において、光ディスクＤの表裏両面に対してそれぞれ平行に設けられる上ガイド部１０ａと下ガイド部１０ｂの間を、ヘッド移送手段３０が光学ヘッド２０をそのガイド部と略垂直な方向に移送することによって、光学ヘッド２０を一対のガイド部１０間をより短い移送経路で移送することを可能にした。又、光学ヘッド２０の光源が出力した光が、光ディスクＤの表面又は裏面に向かうように光の光路を変更するミラー２０ｃを備え、ミラー２０ｃにより光路が変更された光を対物レンズによって光ディスクＤの表裏の情報記録面に集光するとともに、光学ヘッド２０がガイド部１０に沿って光ディスクＤの半径方向に移動することによって、情報記録面に対する情報の再生や記録を行うことを可能にした。【選択図】図１
2007080345.tif 000002
【特許請求の範囲】
【請求項１】
所定の搭載位置に載置される光ディスクの表裏両面に対してそれぞれ平行に設けられる一対のガイド部と、
前記ガイド部に沿って移動するヘッド保持手段と、
前記ヘッド保持手段に保持されるとともに、前記ガイド部に沿って前記光ディスクの半径方向に移動する光学ヘッドと、
前記一対のガイド部の、一方のガイド部における一方のヘッド保持手段に保持されている前記光学ヘッドを取り外して保持するとともに、他方のガイド部における他方のヘッド保持手段に保持させるように、一方のガイド部から他方のガイド部に、前記光学ヘッドをそのガイド部と略垂直な方向に沿って移送するヘッド移送手段と、を備え、
前記光学ヘッドが、前記光ディスクの表裏それぞれの情報記録面に沿って移動することに応じて、前記情報記録面に対する所定の情報の再生および記録の少なくとも一方を行う光ディスク装置であって、
前記光学ヘッドは、
所定の波長の光をそれぞれ出力する複数の光源と、
前記各光源が出力した光を、前記光ディスクの表面または裏面の前記情報記録面に集光する集光手段と、
前記各光源が出力した光の光路を、前記光ディスクの表面側と裏面側に対応するようにそれぞれ設けられた前記集光手段のいずれか一方に向けて変更する光路変更手段と、
を備えることを特徴とする光ディスク装置。
【請求項２】
所定の搭載位置に載置される光ディスクの表裏両面に対してそれぞれ平行に設けられる一対のガイド部と、
前記ガイド部に沿って前記光ディスクの半径方向に移動する光学ヘッドと、
前記一対のガイド部における一方のガイド部から他方のガイド部に、前記光学ヘッドをそのガイド部と略垂直な方向に沿って移送するヘッド移送手段と、を備え、
前記光学ヘッドが、前記光ディスクの表裏それぞれの情報記録面に沿って移動することに応じて、前記情報記録面に対する所定の情報の再生および記録の少なくとも一方を行う光ディスク装置であって、
前記光学ヘッドは、
所定の波長の光を出力する光源と、
前記光源が出力した光が、前記光ディスクの表面側または裏面側に向かうように、その光の光路を変更する光路変更手段と、
前記光路変更手段により光路が変更された光を、前記光ディスクの表面または裏面の前記情報記録面に集光する集光手段と、
を備えることを特徴とする光ディスク装置。
【請求項３】
前記光学ヘッドは、複数の光源を備え、
前記光路変更手段は、前記各光源が出力した光の光路を、前記光ディスクの表面側と裏面側に対応するようにそれぞれ設けられた集光手段のいずれか一方に向けて変更することを特徴とする請求項２記載の光ディスク装置。
【請求項４】
前記一対のガイド部にはそれぞれ、前記光学ヘッドを保持しつつ当該ガイド部に沿って移動するヘッド保持手段が備えられ、
前記ヘッド移送手段は、一方のガイド部における一方のヘッド保持手段に保持されている前記光学ヘッドを取り外して保持するとともに、他方のガイド部における他方のヘッド保持手段に保持させるように、前記光学ヘッドを移送することを特徴とする請求項２又は３に記載の光ディスク装置。
【発明の詳細な説明】
【技術分野】
【０００１】
本発明は、光ディスク装置に係り、特に、光ディスクの両面に対する再生や記録を行うことができる光ディスク装置に関する。
【背景技術】
【０００２】
従来、光ディスクに記録された音声や映像などの情報を再生することや、光ディスクに音声や映像などの情報を記録することを行う光ディスク装置が知られている。
【０００３】
また、近年では、その両面が使用可能な光ディスクにおける一方の面に対して所定の情報の再生／記録処理を行った後に、その光ディスクを裏返すことなく、他方の面に対する再生／記録処理を連続的に行うことを可能にする様々な光ディスク装置が提案されている。
【０００４】
例えば、光ディスク装置に装填される光ディスクの表裏にそれぞれ対応するように設けられた一対のヘッドガイドの間に光学ヘッド移送手段を備え、一方のヘッドガイド側から他方のヘッドガイド側にその光学ヘッド移送手段が光学ヘッド（ピックアップ部）を移送することによって、光学ヘッドがそれぞれのヘッドガイドに沿って、光ディスクの表面や裏面を沿うように動作することを可能にし、その光ディスクの表裏両面に対する情報の再生や記録を行う光ディスク装置が知られている（例えば、特許文献１、特許文献２参照）。
【０００５】
また、光ディスク装置に装填される光ディスクを保持するターンテーブルを上下に移動させることによって、光学ヘッド（ピックアップ部）を光ディスクの表裏両面側に相対的に移動させるようにして、その光ディスクの表裏両面に対する情報の再生や記録を行うことを可能にする光ディスク装置が知られている（例えば、特許文献３参照）。
【０００６】
また、光ディスク装置に装填される光ディスクの表裏に対応するように、光ディスクの表裏両面側に対してそれぞれ設けられたヘッドガイドにそれぞれ光学ヘッド（ピックアップ部）を備え、それぞれのヘッドガイドに沿って光学ヘッドを動作させることによって、光ディスクの表裏両面に対する情報の再生や記録を行うことを可能にする光ディスク装置が知られている（例えば、特許文献４参照）。
【特許文献１】特開平５−３４２５９６号公報
【特許文献２】特開平７−８５６１５号公報
【特許文献３】特開平９−３５３１６号公報
【特許文献４】特開平１１−３１３２６号公報
【発明の開示】
【発明が解決しようとする課題】
【０００７】
しかしながら、上記特許文献１、特許文献２の場合、光学ヘッド移送手段は回動することによって、光学ヘッドを円弧状の移送経路に沿うように光ディスクの厚み方向に移動させて、光学ヘッドを光ディスクの表面側や裏面側に移送するので、光学ヘッドは光ディスクの厚み方向と交差する方向へも移動することになるので、その移送効率は悪く、また、その光学ヘッドが円弧状の移送経路に沿って移動するためのスペースを確保しなければならないという問題があった。
【０００８】
また、上記特許文献３の場合、光ディスクを保持するターンテーブルを移動させるためには、より大きな駆動力が必要となるため、比較的大きなモータなどを備えなければならないという問題があった。
【０００９】
また、上記特許文献４の場合、光ディスクの表裏両面側にそれぞれ光学ヘッドを備えるため、コストが増大してしまうという問題があった。
【００１０】
本発明の目的は、光ディスクの両面に対する再生や記録を好適に行うことができる光ディスク装置を提供することである。
【課題を解決するための手段】
【００１１】
以上の課題を解決するため、請求項１記載の発明は、所定の搭載位置に載置される光ディスクの表裏両面に対してそれぞれ平行に設けられる一対のガイド部と、前記ガイド部に沿って移動するヘッド保持手段と、前記ヘッド保持手段に保持されるとともに、前記ガイド部に沿って前記光ディスクの半径方向に移動する光学ヘッドと、前記一対のガイド部の、一方のガイド部における一方のヘッド保持手段に保持されている前記光学ヘッドを取り外して保持するとともに、他方のガイド部における他方のヘッド保持手段に保持させるように、一方のガイド部から他方のガイド部に、前記光学ヘッドをそのガイド部と略垂直な方向に沿って移送するヘッド移送手段と、を備え、前記光学ヘッドが、前記光ディスクの表裏それぞれの情報記録面に沿って移動することに応じて、前記情報記録面に対する所定の情報の再生および記録の少なくとも一方を行う光ディスク装置であって、前記光学ヘッドは、所定の波長の光をそれぞれ出力する複数の光源と、前記各光源が出力した光を、前記光ディスクの表面または裏面の前記情報記録面に集光する集光手段と、前記各光源が出力した光の光路を、前記光ディスクの表面側と裏面側に対応するようにそれぞれ設けられた前記集光手段のいずれか一方に向けて変更する光路変更手段と、を備えることを特徴とする。
【００１２】
請求項２記載の発明は、所定の搭載位置に載置される光ディスクの表裏両面に対してそれぞれ平行に設けられる一対のガイド部と、前記ガイド部に沿って前記光ディスクの半径方向に移動する光学ヘッドと、前記一対のガイド部における一方のガイド部から他方のガイド部に、前記光学ヘッドをそのガイド部と略垂直な方向に沿って移送するヘッド移送手段と、を備え、前記光学ヘッドが、前記光ディスクの表裏それぞれの情報記録面に沿って移動することに応じて、前記情報記録面に対する所定の情報の再生および記録の少なくとも一方を行う光ディスク装置であって、前記光学ヘッドは、所定の波長の光を出力する光源と、前記光源が出力した光が、前記光ディスクの表面側または裏面側に向かうように、その光の光路を変更する光路変更手段と、前記光路変更手段により光路が変更された光を、前記光ディスクの表面または裏面の前記情報記録面に集光する集光手段と、を備えることを特徴とする。
【００１３】
請求項３記載の発明は、請求項２記載の光ディスク装置において、前記光学ヘッドは、複数の光源を備え、前記光路変更手段は、前記各光源が出力した光の光路を、前記光ディスクの表面側と裏面側に対応するようにそれぞれ設けられた集光手段のいずれか一方に向けて変更することを特徴とする。
【００１４】
請求項４記載の発明は、請求項２又は３に記載の光ディスク装置において、前記一対のガイド部にはそれぞれ、前記光学ヘッドを保持しつつ当該ガイド部に沿って移動するヘッド保持手段が備えられ、前記ヘッド移送手段は、一方のガイド部における一方のヘッド保持手段に保持されている前記光学ヘッドを取り外して保持するとともに、他方のガイド部における他方のヘッド保持手段に保持させるように、前記光学ヘッドを移送することを特徴とする。
【発明の効果】
【００１５】
請求項１記載の発明によれば、光ディスク装置において、光ディスクの表裏両面に対し
てそれぞれ平行に設けられる一対のガイド部における一方のガイド部のヘッド保持手段に保持されている光学ヘッドを取り外して、他方のガイド部のヘッド保持手段にその光学ヘッドを保持させるように、ヘッド移送手段が光学ヘッドをそのガイド部と略垂直な方向に沿って移送することができるので、光学ヘッドを、一方のガイド部と他方のガイド部の間をより短い移送経路で効率よく移送することが可能になる。
【００１６】
また、光ディスク装置が有する光学ヘッドは、光源が出力した光が、光ディスクの表面側または裏面側に向かうように、その光の光路を変更する光路変更手段を備えており、その光路変更手段により光路が変更された光は集光手段に向けられ、その集光手段が光ディスクの表面または裏面の情報記録面に所定の光を集光することができる。そして、その光学ヘッドが、ガイド部に沿って光ディスクの半径方向に移動するようにして、その光ディスクの表裏それぞれの情報記録面に沿って移動することによって、その情報記録面に対する所定の情報の再生や記録を行うことができる。
【００１７】
よって、光ディスク装置は、光ディスクの両面に対する再生や記録を好適に行うことができる。
【００１８】
特に、光ディスク装置の光学ヘッドは、複数の光源を備えており、光路変更手段は、各光源が出力した光の光路を、光ディスクの表面側と裏面側に対応するようにそれぞれ設けられた集光手段のいずれか一方に向けて変更することができるので、複数の光源のいずれかを選択するようにして光源が出力する光の種類を切り替えて、光ディスクの表裏それぞれの情報記録面に対する所定の情報の再生や記録を行うことができる。
【００１９】
つまり、例えば、光ディスク装置の光学ヘッドが、「ブルーレイディスク（ＢＤ）」方式若しくは「ＨＤ（高品位）ＤＶＤ」方式に応じた光を出射することができる光源と、従来のＤＶＤ、ＣＤに応じた光を出射できる光源を備えることによって、光ディスク装置において、所定の光を出力する光源を選択し、いずれか一方の光源の光を出力するように切り替えることによって、光ディスク装置は、「ブルーレイディスク（ＢＤ）」方式若しくは「ＨＤ（高品位）ＤＶＤ」方式の光ディスクと、従来のＤＶＤ、ＣＤ（従来の光ディスク）の、両タイプの光ディスクに対する再生や記録を行うことが可能になる。
【００２０】
請求項２記載の発明によれば、光ディスク装置において、光ディスクの表裏両面に対してそれぞれ平行に設けられる一対のガイド部における一方のガイド部から他方のガイド部に、ヘッド移送手段が光学ヘッドをそのガイド部と略垂直な方向に沿って移送することができるので、光学ヘッドを、一方のガイド部と他方のガイド部の間をより短い移送経路で効率よく移送することが可能になる。
【００２１】
また、光ディスク装置が有する光学ヘッドは、光源が出力した光が、光ディスクの表面側または裏面側に向かうように、その光の光路を変更する光路変更手段を備えており、その光路変更手段により光路が変更された光は集光手段に向けられ、その集光手段が光ディスクの表面または裏面の情報記録面に所定の光を集光することができる。そして、その光学ヘッドが、ガイド部に沿って光ディスクの半径方向に移動するようにして、その光ディスクの表裏それぞれの情報記録面に沿って移動することによって、その情報記録面に対する所定の情報の再生や記録を行うことができる。
【００２２】
よって、光ディスク装置は、光ディスクの両面に対する再生や記録を好適に行うことができる。
【００２３】
請求項３記載の発明によれば、請求項２記載の発明と同様の効果が得られることは無論のこと、光ディスク装置の光学ヘッドは、複数の光源を備えており、光路変更手段は、各光源が出力した光の光路を、光ディスクの表面側と裏面側に対応するようにそれぞれ設けられた集光手段のいずれか一方に向けて変更することができるので、複数の光源のいずれかを選択するようにして光源が出力する光の種類を切り替えて、光ディスクの表裏それぞれの情報記録面に対する所定の情報の再生や記録を行うことができる。
【００２４】
つまり、例えば、光ディスク装置の光学ヘッドが、「ブルーレイディスク（ＢＤ）」方式若しくは「ＨＤ（高品位）ＤＶＤ」方式に応じた光を出射することができる光源と、従来のＤＶＤ、ＣＤに応じた光を出射できる光源を備えることによって、光ディスク装置において、所定の光を出力する光源を選択し、いずれか一方の光源の光を出力するように切り替えることによって、光ディスク装置は、「ブルーレイディスク（ＢＤ）」方式若しくは「ＨＤ（高品位）ＤＶＤ」方式の光ディスクと、従来のＤＶＤ、ＣＤ（従来の光ディスク）の、両タイプの光ディスクに対する再生や記録を行うことが可能になる。
【００２５】
請求項４記載の発明によれば、請求項２又は３に記載の発明と同様の効果が得られることは無論のこと、光ディスク装置の一対のガイド部にはそれぞれ、光学ヘッドを保持しつつ、そのガイド部に沿って移動するヘッド保持手段が備えられており、ヘッド移送手段は、一方のガイド部における一方のヘッド保持手段に保持されている光学ヘッドを取り外して保持するとともに移動し、他方のガイド部における他方のヘッド保持手段に保持させるように、光学ヘッドを移送することができる。
【００２６】
つまり、光学ヘッドを保持するヘッド保持手段がガイド部に沿って移動することによって、光学ヘッドは好適に光ディスクの表裏それぞれの情報記録面に沿って移動することができ、その情報記録面に対する所定の情報の再生や記録を行うことができる。
【００２７】
また、ヘッド移送手段が、一方のガイド部における一方のヘッド保持手段に保持されている光学ヘッドを取り外して保持するとともに移動し、他方のガイド部における他方のヘッド保持手段に保持させるようにして、一方のガイド部と他方のガイド部の間をより短い移送経路で光学ヘッドを移送することができる。
【発明を実施するための最良の形態】
【００２８】
以下、図面を参照して本発明に係る光ディスク装置の実施の形態について詳細に説明する。なお、光ディスク装置は、記録媒体としてのＤＶＤ（Digital Versatile Disk）などの光ディスクに対して波長の安定した光（例えば、レーザ光）を照射したり、光ディスクから反射された光（例えば、反射レーザ光）を取り出したりすることによって、光ディスクへの所定の情報（音声情報や映像情報）の書き込みや、光ディスクからの所定の情報（音声情報や映像情報）の再生を行うための装置である。
【００２９】
図１、図２に示すように、光ディスク装置１００は、装置に装填された光ディスクＤを回転可能に支持するターンテーブル１と、所定の搭載位置であるターンテーブル１に支持され載置される光ディスクＤの表面（上面）に対して平行に設けられている上ガイド部１０ａと、その光ディスクＤの裏面（下面）に対して平行に設けられている下ガイド部１０ｂとからなる一対のガイド部１０と、上ガイド部１０ａに沿って移動するヘッド保持手段としての上側ホルダー１５ａと、下ガイド部１０ｂに沿って移動するヘッド保持手段としての下側ホルダー１５ｂと、上側ホルダー１５ａと下側ホルダー１５ｂに保持されつつ移動する光学ヘッド２０と、上ガイド部１０ａと下ガイド部１０ｂに対して略垂直に掛け渡されるように配置されて光学ヘッド２０を上ガイド部１０ａと下ガイド部１０ｂの間を移送するヘッド移送手段３０と、装置の各部を制御する図示しない制御部等を備えている。
【００３０】
ターンテーブル１は、光ディスクＤをクランプ部（図示省略）で保持するとともに、図示しないスピンドルモータにより回転駆動されて、その光ディスクＤを回転させる。
【００３１】
また、光ディスクＤは、その表面（上面）と裏面（下面）にそれぞれ所定の情報を記録する情報記録面を有している両面タイプの光ディスクである。
【００３２】
一対のガイド部１０は、上ガイド部１０ａと下ガイド部１０ｂとからなる。
【００３３】
上ガイド部１０ａは、図２に示すように、上側ホルダー１５ａに挿通されるボールねじ１１とガイド軸１２を備えている。
【００３４】
また、ボールねじ１１とガイド軸１２の一端側にはストッパー１３が固定されており、
ボールねじ１１の他端には、ボールねじ１１を駆動するモータ１４が備えられている。
【００３５】
そして、モータ１４が動作してボールねじ１１を駆動することによって、上側ホルダー１５ａは、上ガイド部１０ａに沿い、光ディスクＤの表面側をその光ディスクＤの半径方向に沿って移動する。
【００３６】
なお、ガイド軸１２は、ボールねじ１１の駆動に伴い上ガイド部１０ａに沿って移動する上側ホルダー１５ａの姿勢を安定させるように、上側ホルダー１５ａを支持している。
【００３７】
また、下ガイド部１０ｂは、上ガイド部１０ａと同様に、下側ホルダー１５ｂに挿通されるボールねじ１１とガイド軸１２を備えており、モータ１４が動作してボールねじ１１を駆動することによって、下側ホルダー１５ｂが、下ガイド部１０ｂに沿い、光ディスクＤの裏面側をその光ディスクＤの半径方向に沿って移動するようになっている。
【００３８】
上側ホルダー１５ａは、例えば、電磁石やソレノイドにより構成されるヘッド固定手段を備えており、そのヘッド固定手段によって上側ホルダー１５ａの下面側に光学ヘッド２０を着脱可能に保持する。そして、上側ホルダー１５ａが光学ヘッド２０を保持しつつ上ガイド部１０ａに沿って移動することに伴い、光学ヘッド２０は光ディスクＤの表面側をその光ディスクＤの半径方向に沿って移動する。
【００３９】
また、下側ホルダー１５ｂは、上側ホルダー１５ａと同様のヘッド固定手段を備えており、そのヘッド固定手段によって下側ホルダー１５ｂの上面側に光学ヘッド２０を着脱可能に保持するとともに、下側ホルダー１５ｂが光学ヘッド２０を保持しつつ下ガイド部１０ｂに沿って移動することに伴い、光学ヘッド２０は光ディスクＤの裏面側をその光ディスクＤの半径方向に沿って移動するようになっている。
【００４０】
また、上側ホルダー１５ａと下側ホルダー１５ｂはそれぞれ、光学ヘッド２０を保持しているか否かを検出するセンサ（図示省略）を備えており、そのセンサが検出した信号が制御部（図示省略）に出力されることによって、光学ヘッド２０が上側ホルダー１５ａや下側ホルダー１５ｂに保持されているか、後述するキャッチャー４０に保持されているかを判断することが可能になっている。
【００４１】
ヘッド移送手段３０は、光学ヘッド２０を着脱可能に保持するキャッチャー４０と、キャッチャー４０に挿通されるボールねじ３１とガイド軸３２と、ボールねじ３１を駆動するモータ３４と、を備えている。
【００４２】
そして、モータ３４が動作してボールねじ３１を駆動することによって、キャッチャー４０が、光ディスクＤの厚み方向である上下方向に移動する。なお、ガイド軸３２は、ボールねじ３１の駆動に伴い上下に移動するキャッチャー４０の姿勢を安定させるように、キャッチャー４０を支持している。
【００４３】
キャッチャー４０は、例えば、電磁石やソレノイドにより構成されるヘッド固定手段を備えており、そのヘッド固定手段によってキャッチャー４０の側面に光学ヘッド２０を着脱可能に保持する。
【００４４】
そして、光学ヘッド２０を保持するキャッチャー４０がヘッド移送手段３０により上下に移動されることによって、光学ヘッド２０は、上ガイド部１０ａの上側ホルダー１５ａと、下ガイド部１０ｂの下側ホルダー１５ｂの間を移送されることとなる。
【００４５】
次に、本発明に係る光ディスク装置１００が備える光学ヘッド２０について、図３や図４に基づき説明する。
【００４６】
なお、図３は、光学ヘッド２０が上側ホルダー１５ａに保持されて、光ディスクＤの表面側の情報記録面に対する所定の情報の再生／記録処理を行う際の状態を示す側面図であり、図４は、図３のIV部分の拡大説明図である。
【００４７】
図３、図４に示すように、光学ヘッド２０は、光学ヘッド２０の下面側に配設される集光手段としての対物レンズ２０ａと、光学ヘッド２０の上面側に配設される集光手段としての対物レンズ２０ｂと、対物レンズ２０ａと対物レンズ２０ｂの間であって、対物レンズ２０ａと対物レンズ２０ｂの光軸中に配設される光路変更手段としてのミラー２０ｃと、を備えている。なお、ミラー２０ｃは、表裏両面が鏡面を有するミラーであることが好ましい。
【００４８】
また、光学ヘッド２０は、所定の波長の光であるレーザ光を出力する光源としてのレーザダイオード２１と、レーザダイオード２１が出力したレーザ光の断面形状を所定の大きさに調整し成形するコリメータレンズ２２と、コリメータレンズ２２を通過したレーザ光を、ミラー２０ｃと対物レンズ２０ａ（対物レンズ２０ｂ）を介して光ディスクＤの情報記録面に案内するとともに、光ディスクＤの情報記録面で反射された反射レーザ光を、光ディスクＤに向かうレーザ光から分離するビームスプリッタ２３と、ビームスプリッタ２３により分離された反射レーザ光を集光する検出レンズ２４と、検出レンズ２４により集光された反射レーザ光を検出し、その光強度に対応する電気信号に変換するフォトディテクタ２５と、を備えている。
【００４９】
また、光学ヘッド２０は、所定の光であるレーザ光を出力する光源としてのレーザダイオード２０１と、レーザダイオード２０１が出力したレーザ光の断面形状を所定の大きさに調整し成形するコリメータレンズ２０２と、コリメータレンズ２０２を通過したレーザ光を、ミラー２０ｃと対物レンズ２０ａ（対物レンズ２０ｂ）を介して光ディスクＤの情報記録面に案内するとともに、光ディスクＤの情報記録面で反射された反射レーザ光を、光ディスクＤに向かうレーザ光から分離するビームスプリッタ２０３と、ビームスプリッタ２０３により分離された反射レーザ光を集光する検出レンズ２０４と、検出レンズ２０４により集光された反射レーザ光を検出し、その光強度に対応する電気信号に変換するフォトディテクタ２０５と、を備えている。
【００５０】
なお、レーザダイオード２１とレーザダイオード２０１とは、異なるレーザ光を出射する光源（レーザダイオード）であり、例えば、一方のレーザダイオードは、「ブルーレイディスク（ＢＤ）」方式に応じたレーザ光を出射し、他方のレーザダイオードは、「ＨＤ（高品位）ＤＶＤ」方式に応じたレーザ光を出射することができるようになっている。
【００５１】
なお、光ディスク装置（光学ヘッド）における、レーザダイオード、コリメータレンズ、ビームスプリッタ、検出レンズ、フォトディテクタ等の構成や動作は従来公知のものと同様であるので、ここでは詳述しない。
【００５２】
対物レンズ２０ａは、光ディスクＤの表面側の情報記録面に記録されている所定の情報を再生する場合や、光ディスクＤの表面側の情報記録面に所定の情報を記録する場合に、光源（レーザダイオード）が出力するレーザ光を光ディスクＤの表面側の情報記録面に集光するためのレンズである。
【００５３】
対物レンズ２０ｂは、光ディスクＤの裏面側の情報記録面に記録されている所定の情報を再生する場合や、光ディスクＤの裏面側の情報記録面に所定の情報を記録する場合に、光源（レーザダイオード）が出力するレーザ光を光ディスクＤの裏面側の情報記録面に集光するためのレンズである。
【００５４】
ミラー２０ｃは、レーザダイオード２１やレーザダイオード２０１が出力したレーザ光が、対物レンズ２０ａ又は対物レンズ２０ｂに向かうように、そのレーザ光の光路を変更する鏡面を有する部材である。
【００５５】
具体的には、光学ヘッド２０が上側ホルダー１５ａに保持されている場合（例えば、上側ホルダー１５ａのセンサが光学ヘッド２０を保持しているものと検出した場合）、レーザダイオード２１やレーザダイオード２０１が出力したレーザ光を対物レンズ２０ａに向けて反射するように、ミラー２０ｃの角度が図示しない角度切り替え手段により切り替えられる。また、光学ヘッド２０が下側ホルダー１５ｂに保持されている場合（例えば、下
側ホルダー１５ｂのセンサが光学ヘッド２０を保持しているものと検出した場合）、レーザダイオード２１やレーザダイオード２０１が出力したレーザ光を対物レンズ２０ｂに向けて反射するように、ミラー２０ｃの角度が図示しない角度切り替え手段により切り替えられる。
【００５６】
特に、角度切り替え手段（図示省略）は、レーザダイオード２１とレーザダイオード２０１のうち、レーザ光を出力するいずれか一方のレーザダイオードに対応するようにミラー２０ｃの角度を切り替えるようになっている。
【００５７】
そして、図３、図４に示すように、上側ホルダー１５ａに保持される光学ヘッド２０が、光ディスクＤの表面側で光ディスクＤの半径方向に移動しつつ、ターンテーブル１によって回転される光ディスクＤの表面側の情報記録面に記録されている所定の情報を再生する際には、例えば、レーザダイオード２１が所定のレーザ光を出力する。その出力されたレーザ光はコリメータレンズ２２とビームスプリッタ２３を通過してミラー２０ｃにより対物レンズ２０ａ側に反射されるように光路変更されて、その対物レンズ２０ａを通じて光ディスクＤの表面側の情報記録面に照射される。
【００５８】
そして、光ディスクＤの情報記録面で、そのレーザ光が反射された反射レーザ光は、対物レンズ２０ａとミラー２０ｃを介してビームスプリッタ２３に入射され、ビームスプリッタ２３により反射レーザ光がフォトディテクタ２５に向けて分離される。
【００５９】
ビームスプリッタ２３により分離された反射レーザ光は、検出レンズ２４によりフォトディテクタ２５に集光されて、そのフォトディテクタ２５が検出した反射レーザ光を、その反射レーザ光の光強度に応じた電気信号に変換して制御部（図示省略）に出力するようになっている。
【００６０】
そして、その制御部（図示省略）が、その電気信号に基づき所定の制御処理を実行することによって、所定の映像表示部や音声出力部から映像や音声が出力される。
【００６１】
なお、光ディスクＤの表面側の情報記録面に所定の情報を記録する際には、図示しない制御部の制御処理によって、所定の情報に基づきレーザ光の光強度を調整しつつ、レーザダイオード２１がレーザ光を出力し、その出力されたレーザ光はコリメータレンズ２２とビームスプリッタ２３を通過して、ミラー２０ｃにより対物レンズ２０ａ側に光路変更されて、その対物レンズ２０ａを通じて光ディスクＤの表面側の情報記録面に照射され、その情報記録面に所定の情報を書き込み、記録するようになっている。
【００６２】
また、レーザダイオード２０１がレーザ光を出力して、所定の情報の再生や記録を行う場合には、ミラー２０ｃの角度をレーザダイオード２０１に応じて切り替えることで、前述のレーザダイオード２１の場合と同様に、所定の情報の再生／記録処理を実行することができる。
【００６３】
なお、光ディスク装置１００において、フォトディテクタ２５（フォトディテクタ２０５）が検出した反射レーザ光に基づく電気信号を光学ヘッド２０から図示しない制御部に出力したり、ミラー２０ｃの角度切り替え手段（図示省略）に対する動作信号を図示しない制御部から光学ヘッド２０に入力したりするために、光学ヘッド２０は、制御部（図示省略）に接続される図示しないフレキシブルケーブルを備えている。
【００６４】
次に、光学ヘッド２０が、上ガイド部１０ａの上側ホルダー１５ａと、下ガイド部１０ｂの下側ホルダー１５ｂの間を移送される動作について説明する。
【００６５】
図３に示す状態ように、上側ホルダー１５ａに保持される光学ヘッド２０が、光ディスクＤの表面側の情報記録面に記録されている所定の情報の再生を終えた後、光ディスクＤの裏面側の情報記録面に記録されている所定の情報の再生を続けて行う場合、まず、上ガイド部１０ａのモータ１４がボールねじ１１を駆動することによって、光学ヘッド２０を
保持する上側ホルダー１５ａを、ヘッド移送手段３０側に移動させて、図５に示すように、上側ホルダー１５ａに保持される光学ヘッド２０をキャッチャー４０に接触させる。
【００６６】
なお、光学ヘッド２０がキャッチャー４０に接触する位置は、光学ヘッド２０がターンテーブル１に支持されている光ディスクＤの外周より外側に待避した位置である。
【００６７】
次いで、キャッチャー４０の図示しないヘッド固定手段が光学ヘッド２０をキャッチャー４０に対して固定することによって、キャッチャー４０が光学ヘッド２０を保持することとなる。そして、上側ホルダー１５ａの図示しないヘッド固定手段が光学ヘッド２０を切り離す。
【００６８】
次いで、図６に示すように、ヘッド移送手段３０のモータ３４がボールねじ３１を駆動することによって、光学ヘッド２０を保持するキャッチャー４０を、ガイド部１０と略垂直な方向である光ディスクＤの厚み方向に沿って下側に移動させる。そして、キャッチャー４０に保持される光学ヘッド２０を下側ホルダー１５ｂに接触させる。
【００６９】
次いで、下側ホルダー１５ｂの図示しないヘッド固定手段が光学ヘッド２０を下側ホルダー１５ｂに対して固定することによって、下側ホルダー１５ｂが光学ヘッド２０を保持することとなる。そして、キャッチャー４０の図示しないヘッド固定手段が光学ヘッド２０を切り離す。
【００７０】
そして、下ガイド部１０ｂのモータ１４がボールねじ１１を駆動することによって、光学ヘッド２０を保持する下側ホルダー１５ｂを下ガイド部１０ｂに沿って移動させて、図７に示すように、下側ホルダー１５ｂに保持される光学ヘッド２０を光ディスクＤの裏面側で、光ディスクＤの半径方向に移動可能とすることができる。
【００７１】
つまり、ヘッド移送手段３０は、一方のガイド部（例えば、上ガイド部１０ａ）における上側ホルダー１５ａに保持されている光学ヘッド２０を、キャッチャー４０が取り外して保持するとともに、ガイド部１０（上ガイド部１０ａ、下ガイド部１０ｂ）に対し略垂直方向に移動し、他方のガイド部（例えば、下ガイド部１０ｂ）における下側ホルダー１５ｂに保持させるようにして、光学ヘッド２０を移送するようになっている。
【００７２】
そして、図７、図８に示すように、光学ヘッド２０が下側ホルダー１５ｂに保持されて光ディスクＤの半径方向に移動しつつ、ターンテーブル１によって回転される光ディスクＤの裏面側の情報記録面に対する所定の情報の再生／記録処理を行うことができる。
【００７３】
なお、光ディスクＤの裏面側の情報記録面に対する所定の情報の再生／記録処理を実行する際には、例えば、レーザダイオード２１が所定のレーザ光を出力し、その出力されたレーザ光がコリメータレンズ２２とビームスプリッタ２３を通過してミラー２０ｃにより対物レンズ２０ｂ側に反射されるように光路変更されて、その対物レンズ２０ｂを通じてそのレーザ光が光ディスクＤの表面側の情報記録面に照射されるようにすればよい。
【００７４】
また、レーザダイオード２０１がレーザ光を出力して、所定の情報の再生や記録を行う場合には、ミラー２０ｃの角度をレーザダイオード２０１に応じて切り替えることで、前述のレーザダイオード２１の場合と同様に、所定の情報の再生／記録処理を実行することができる。
【００７５】
このように、本発明に係る光ディスク装置１００は、ヘッド移送手段３０が光学ヘッド２０を一対のガイド部１０（上ガイド部１０ａ、下ガイド部１０ｂ）に対して略垂直方向に沿って移送するようにして、一方のガイド部（例えば、上ガイド部１０ａ）の上側ホルダー１５ａから、他方のガイド部（例えば、下ガイド部１０ｂ）の下側ホルダー１５ｂに移送することができるので、光学ヘッド２０を、上ガイド部１０ａと下ガイド部１０ｂの間をより短い移送経路で効率よく移送することが可能になる。
【００７６】
また、光ディスク装置１００の光学ヘッド２０は、レーザダイオード２１やレーザダイ
オード２０１が出力したレーザ光を、光ディスクＤの表面側の情報記録面や、光ディスクＤの裏面側の情報記録面に照射するために、そのレーザ光の光路を光ディスクＤの表面側の情報記録面に対する情報の再生／記録処理用の対物レンズ２０ａや、光ディスクＤの裏面側の情報記録面に対する情報の再生／記録処理用の対物レンズ２０ｂに向けて変更するミラー２０ｃを備えているので、光ディスク装置１００は、光ディスクＤの表裏両面側の情報記録面に対する所定の情報の再生／記録処理を行うことができる。
【００７７】
具体的には、光学ヘッド２０が上ガイド部１０ａの上側ホルダー１５ａに保持されている場合には、ミラー２０ｃはレーザダイオードが出力したレーザ光が対物レンズ２０ａに向かうように光路変更し、光学ヘッド２０が下ガイド部１０ｂの下側ホルダー１５ｂに保持されている場合には、ミラー２０ｃはレーザダイオードが出力したレーザ光が対物レンズ２０ｂに向かうように光路変更することによって、光ディスク装置１００が、光ディスクＤの表裏両面のそれぞれの情報記録面に対する所定の情報の再生／記録処理を行うことを可能にしている。
【００７８】
よって、光ディスク装置１００は、光ディスクＤの両面に対する再生や記録を好適に行うことができる。
【００７９】
また、光ディスク装置１００は、異なるレーザ光を出射するレーザダイオード２１とレーザダイオード２０１を備えているので、光ディスク装置１００がレーザ光を出射し出力するレーザダイオードを選択し、いずれか一方に切り替えることによって、光ディスク装置１００は、例えば、「ブルーレイディスク（ＢＤ）」方式と、「ＨＤ（高品位）ＤＶＤ」方式の、両タイプの光ディスクに対する再生／記録処理を行うことができる。
【００８０】
なお、以上の実施の形態においては、ガイド部１０は、モータ１４がボールねじ１１を駆動させることによって、上側ホルダー１５ａや下側ホルダー１５ｂをガイド部１０に沿って移動させる構成にしたが、本発明はこれに限定されるものではなく、例えば、ガイド部１０がリニアモータを備える構成にして、そのリニアモータによって上側ホルダー１５ａや下側ホルダー１５ｂを移動させて、光学ヘッド２０を移動させるようにしてもよい。
【００８１】
また、以上の実施の形態においては、光ディスク装置１００のヘッド移送手段３０が、光学ヘッド２０を、上ガイド部１０ａの上側ホルダー１５ａから、下ガイド部１０ｂの下側ホルダー１５ｂに移送する場合について説明したが、本発明はこれに限定されるものではなく、ヘッド移送手段３０は、光学ヘッド２０を、下ガイド部１０ｂの下側ホルダー１５ｂから上ガイド部１０ａの上側ホルダー１５ａに移送することも同様に行うことができることは勿論である。
【００８２】
また、以上の実施の形態においては、光ディスク装置１００の光学ヘッド２０は、図示しない制御部と光学ヘッド２０の間で様々な信号の通信を行うためにフレキシブルケーブル（図示省略）を備える構成として説明したが、本発明はこれに限定されるものではなく、例えば、光学ヘッド２０は、その上面と下面に所定の接点を備え、上側ホルダー１５ａに光学ヘッド２０が保持される際には上面側の接点が上側ホルダー１５ａの接合部と位置合わせされ、下側ホルダー１５ｂに光学ヘッド２０が保持される際には下面側の接点が下側ホルダー１５ｂの接合部と位置合わせされて、光学ヘッド２０と上側ホルダー１５ａや下側ホルダー１５ｂが電気的に接続されるようになっていてもよい。
【００８３】
なお、この場合、光学ヘッド２０の接点と、上側ホルダー１５ａや下側ホルダー１５ｂの接合部が、より確実に接触するように位置合わせするために、例えば、光学ヘッド２０側に位置合わせ用凸部を形成し、上側ホルダー１５ａや下側ホルダー１５ｂに位置合わせ用凹部を形成して、その位置合わせ用凸部が位置合わせ用凹部に対して係入することによって、光学ヘッド２０と上側ホルダー１５ａや下側ホルダー１５ｂを位置合わせして、その接点と接合部を電気的に接触させるようにすることが好ましい。
【００８４】
そして、上側ホルダー１５ａや下側ホルダー１５ｂが有する所定のケーブルなどを介し
て、光学ヘッド２０が図示しない制御部と電気的に接続される。
【００８５】
また、フォトディテクタ２５、フォトディテクタ２０５は、検出した反射レーザ光を、その反射レーザ光の光強度に応じた電気信号に変換するばかりでなく、レーザダイオード２１やレーザダイオード２０１が出力したレーザ光が、光ディスクＤで反射された反射レーザ光を検出して、ターンテーブル１に支持されている光ディスクＤが、例えば、レーザダイオード２１によるレーザ光を照射すべき「ブルーレイディスク（ＢＤ）」方式の光ディスクであるか、レーザダイオード２０１によるレーザ光を照射すべき「ＨＤ（高品位）ＤＶＤ」方式の光ディスクであるかを判断するためのディスク判断用信号を図示しない制御部に出力するようにして、その制御部の判断処理によって、その光ディスクＤに応じた有効なレーザダイオードを自動選択し、有効なレーザ光を光ディスクＤに向けて照射するようにしてもよい。
【００８６】
また、以上の実施の形態においては、光ディスク装置の光学ヘッドが、「ブルーレイディスク（ＢＤ）」方式に応じた光を出射することができる光源と、「ＨＤ（高品位）ＤＶＤ」方式に応じた光を出射することができる光源と、を備える場合について説明したが、本発明はこれに限定されるものではなく、例えば、光ディスク装置の光学ヘッドが、「ブルーレイディスク（ＢＤ）」方式若しくは「ＨＤ（高品位）ＤＶＤ」方式に応じた光を出射することができる光源と、従来のＤＶＤ、ＣＤに応じた光を出射できる光源を備えることによって、光ディスク装置において、所定の光を出力する光源を選択し、いずれか一方の光源の光を出力するように切り替えることによって、光ディスク装置が、「ブルーレイディスク（ＢＤ）」方式若しくは「ＨＤ（高品位）ＤＶＤ」方式の光ディスクと、従来の光ディスク（ＤＶＤ、ＣＤ）の、両タイプの光ディスクに対する再生や記録を行うことを可能とするようにしてもよい。
【００８７】
また、その他、具体的な細部構造等についても適宜に変更可能であることは勿論である。
【図面の簡単な説明】
【００８８】
【図１】本発明に係る光ディスク装置を示す側面図である。
【図２】本発明に係る光ディスク装置を示す平面図である。
【図３】本発明に係る光ディスク装置の光学ヘッドが光ディスクの表面側を移動する状態を示す側面図である。
【図４】図３のIV部分の拡大図であり、光学ヘッドが光ディスクの表面側に対する処理を実行する際の説明図である。
【図５】本発明に係る光ディスク装置が光学ヘッドを移送する状態を示す側面図である。
【図６】本発明に係る光ディスク装置が光学ヘッドを移送する状態を示す側面図である。
【図７】本発明に係る光ディスク装置の光学ヘッドが光ディスクの裏面側を移動する状態を示す側面図である。
【図８】図７のVIII部分の拡大図であり、光学ヘッドが光ディスクの裏面側に対する処理を実行する際の説明図である。
【符号の説明】
【００８９】
１      ターンテーブル（搭載位置）
１０    ガイド部
１０ａ  上ガイド部
１０ｂ  下ガイド部
１１    ボールねじ
１２    ガイド軸
１３    ストッパー
１４    モータ
１５ａ  上側ホルダー（ヘッド保持手段）
１５ｂ  下側ホルダー（ヘッド保持手段）
２０    光学ヘッド
２０ａ  対物レンズ（集光手段）
２０ｂ  対物レンズ（集光手段）
２０ｃ  ミラー（光路変更手段）
２１、２０１  レーザダイオード（光源）
２２、２０２  コリメータレンズ
２３、２０３  ビームスプリッタ
２４、２０４  検出レンズ
２５、２０５  フォトディテクタ
３０    ヘッド移送手段
３１    ボールねじ
３２    ガイド軸
３４    モータ
１００  光ディスク装置
Ｄ      光ディスク
【図１】
2007080345.tif 000003
【図２】
2007080345.tif 000004
【図３】
2007080345.tif 000005
【図４】
2007080345.tif 000006
【図５】
2007080345.tif 000007
【図６】
2007080345.tif 000008
【図７】
2007080345.tif 000009
【図８】
2007080345.tif 000010